(57)【要約】【課題】構造がシンプルで気密性に優れ、使い勝手のよい密封容器を提供する。【解決手段】容器本体１の円筒壁２の外周面に突条Ａが形成され、蓋体４の係合壁５の内周面に突条Ｂが形成され、上記蓋体４の所定の位置に、小突起を有する第１の突出片１２と、回動筒を有する第２の突出片１４とが設けられ、上記容器本体１の所定の位置に、上記小突起と係合する小凹部と、上記回動筒と嵌合する固定ピンとが設けられ、上記蓋体４を、水平方向に所定角度だけ回動することによって、上記突条Ａ、Ｂの係合が解除され、上記小突起と小凹部とが係合し上記回動筒と固定ピンとが嵌合してヒンジ連結がなされ、そのヒンジ連結を介して蓋体が上方に開くようになっている。【選択図】図６
2010063533.tif 000002
【特許請求の範囲】
【請求項１】
内容物を収容するための円筒壁が上面から上向きに形成された容器本体と、上記容器本体の円筒壁と係合しうる円筒状の係合壁が天井面から下向きに形成され、その係合壁と上記円筒壁との係合によって上記容器本体の円筒壁内側を密閉した状態で蓋する蓋体とを備え、上記容器本体の円筒壁外周面に、係合用の突条Ａが周方向に断続的に形成され、上記蓋体の係合壁内周面に、係合用の突条Ｂが周方向に断続的に形成されているとともに、上記容器本体の所定位置に、ヒンジ連結を構成するための第１のヒンジ部材が設けられ、上記蓋体の所定の位置に、上記第１の部材と結合してヒンジ連結を構成する第２のヒンジ部材が設けられており、上記蓋体を、上記円筒壁の突条Ａと上記係合壁の突条Ｂとが係合する初期位置から、水平方向に所定角度だけ回動することにより、上記突条Ａ、Ｂの係合が解除されるとともに、上記第２のヒンジ部材が上記第１のヒンジ部材と結合してヒンジ連結がなされ、そのヒンジ連結を介して蓋体が上方に開くようになっていることを特徴とする密閉容器。
【請求項２】
上記第１のヒンジ部材が、上記容器本体の側面部に形成された溝部内に、片持ちで水平に設けられる固定ピンであり、上記第２のヒンジ部材が、上記蓋体の側面部から下向きに突設された突設部から水平に設けられる回動筒であり、上記回動筒には、水平方向にスリットが形成されており、蓋体を水平方向に所定角度だけ回動して突条Ａ、Ｂの係合を解除する際、上記蓋体側の回動筒が、上記容器本体側の溝部内に入り、上記スリット内に固定ピンが入り込んで、ヒンジ連結がなされるようになっている請求項１記載の密閉容器。
【請求項３】
上記蓋体の係合壁内周面根元部に、容器本体の円筒壁との係合時に内部を気密にするためのパッキンが設けられている請求項１または２記載の密閉容器。
【発明の詳細な説明】
【技術分野】
【０００１】
本発明は、揮発性の高い化粧料等を収容するのに適した密封容器に関するものである。
【背景技術】
【０００２】
従来から、揮発性成分を含有する化粧料を収容するコンパクト容器としては、その収容部の気密性を保つために、収容部上部に、ねじで締め込むタイプの蓋をら合したもの（特許文献１参照）や、パッキンを内蔵した蓋体を、係合により収容部開口に密着させるようにしたもの（特許文献２参照）等が提案されている。
【０００３】
しかしながら、これらのコンパクト容器は、いずれも構造が複雑で、製造コストが高くなり、また容器が重くなったり嵩高くなったりするため、通常のものより使い勝手が悪くなるという問題がある。また、気密性を保持するために化粧料収容部の蓋を強固に止着する必要があるが、使用時にこれを解除することが容易でなく、多大な労力を要することも問題となっている。
【０００４】
そこで、本出願人は、気密性を充分に確保しながら、より構造が簡単で使い勝手のよいコンパクト容器を開発し、すでに出願している（特許文献３参照）。
【特許文献１】特許第３３９７５０２号公報
【特許文献２】特開平８−１２６５２１号公報
【特許文献３】特開２００５−１１８２９９公報
【発明の開示】
【発明が解決しようとする課題】
【０００５】
上記特許文献３のコンパクト容器は、図７に示すように、容器本体１側に設けられた化粧料収容用の円筒壁２と係合しうる係合壁６を、蓋体５に直接設け、この蓋体５を、容器本体１とヒンジ連結した蓋体ガイド８によって、水平方向に回動自在に支受し、蓋体をアームのように水平方向に回動させることにより、上記円筒壁２と係合壁６との係合を解除して蓋体５を開閉できるようにしたものである。この構成によれば、上記係合部をきつく締め込んでも、てこの原理によって、その解除を容易に行うことができ、使い勝手がよい。
【０００６】
しかし、上記コンパクト容器は、蓋体５を開閉させるために、蓋体ガイド８という余分な部材を介在させているため、全体として、シンプルな構造とはいえず、より一層の改良が望まれている。
【０００７】
本発明は、このような事情に鑑みなされたもので、構造がシンプルで、しかも気密性に優れ、開閉動作が簡単で使い勝手のよい密封容器の提供をその目的とする。
【課題を解決するための手段】
【０００８】
上記の目的を達成するため、本発明は、内容物を収容するための円筒壁が上面から上向きに形成された容器本体と、上記容器本体の円筒壁と係合しうる円筒状の係合壁が天井面から下向きに形成され、その係合壁と上記円筒壁との係合によって上記容器本体の円筒壁内側を密閉した状態で蓋する蓋体とを備え、上記容器本体の円筒壁外周面に、係合用の突条Ａが周方向に断続的に形成され、上記蓋体の係合壁内周面に、係合用の突条Ｂが周方向に断続的に形成されているとともに、上記容器本体の所定位置に、ヒンジ連結を構成するための第１のヒンジ部材が設けられ、上記蓋体の所定の位置に、上記第１の部材と結合してヒンジ連結を構成する第２のヒンジ部材が設けられており、上記蓋体を、上記円筒壁の突条Ａと上記係合壁の突条Ｂとが係合する初期位置から、水平方向に所定角度だけ回動することにより、上記突条Ａ、Ｂの係合が解除されるとともに、上記第２のヒンジ部材が上記第１のヒンジ部材と結合してヒンジ連結がなされ、そのヒンジ連結を介して蓋体が上方に開くようになっている密閉容器を第１の要旨とする。
【０００９】
また、本発明は、そのなかでも、特に、上記第１のヒンジ部材が、上記容器本体の側面部に形成された溝部内に、片持ちで水平に設けられる固定ピンであり、上記第２のヒンジ部材が、上記蓋体の側面部から下向きに突設された突設部から水平に設けられる回動筒であり、上記回動筒には、水平方向にスリットが形成されており、蓋体を水平方向に所定角度だけ回動して突条Ａ、Ｂの係合を解除する際、上記蓋体側の回動筒が、上記容器本体側の溝部内に入り、上記スリット内に固定ピンが入り込んで、ヒンジ連結がなされるようになっている密閉容器を第２の要旨とし、上記蓋体の係合壁内周面根元部に、容器本体の円筒壁との係合時に内部を気密にするためのパッキンが設けられている密閉容器を第３の要旨とする。
【発明の効果】
【００１０】
すなわち、本発明の密封容器は、容器本体側に設けられた円筒壁の突条Ａと、蓋体側に設けられた係合壁の突条Ｂとを係合させることによって、化粧料等の内容物を収容する部分となる円筒壁内を、気密性に優れた状態で密封することができ、その状態から、蓋体を、容器本体に対し所定角度だけ水平方向に回動することにより、上記密封を簡単に解除することができるようにしたものである。しかもその際、蓋体と容器本体との係合が、ヒンジ連結に切り替わり、このヒンジ連結を利用して、通常のコンパクト容器のように、蓋体を上方に開くことができるようになっている。
【００１１】
したがって、この構成によれば、蓋体を所定角度だけ水平方向に回動させるだけで、簡単に、内容物収容部を密閉し、あるいはその密封を解除することができるため、その動作を、簡単かつスムーズに行うことができる。しかも、上記密封解除後は、上記回動させた蓋体と容器本体との係合を、ヒンジ連結に切り替えて、蓋体を上方に開くことができるようになっているため、意外性があり興趣に富むだけでなく、容器本体上面を、全面的に大きく露出させることができ、中の化粧料等を使用する際の使い勝手がよい。
【００１２】
しかも、この密閉容器は、前記特許文献３のコンパクト容器とは異なり、蓋体と容器本体の間に余分なガイド部材を設ける必要がないため、部品点数が少なく組立が容易で、製造コストを比較的低く抑えることができる、という利点を有する。
【００１３】
なお、本発明において、特に、上記第１のヒンジ部材が、上記容器本体の側面部に形成された溝部内に、片持ちで水平に設けられる固定ピンであり、上記第２のヒンジ部材が、上記蓋体の側面部から下向きに突設された突設部から水平に設けられる回動筒であり、上記回動筒には、水平方向にスリットが形成されており、蓋体を水平方向に所定角度だけ回動して突条Ａ、Ｂの係合を解除する際、上記蓋体側の回動筒が、上記容器本体側の溝部内に入り、上記スリット内に固定ピンが入り込んで、ヒンジ連結がなされるようになっている密閉容器は、蓋体の回動動作に伴って蓋体と容器本体との間で行われる、ヒンジ連結への切り替わりが、スムーズになされるため、繰り返し蓋体の開閉を行っても、上記ヒンジ連結構成部が損傷するようなトラブルが発生することがなく、好適である。
【００１４】
また、本発明において、特に、上記蓋体の係合壁内周面根元部に、容器本体の円筒壁との係合時に内部を気密にするためのパッキンが設けられている密閉容器は、蓋体を閉じた状態における円筒壁内の気密性を、さらに高めることができ、好適である。
【発明を実施するための最良の形態】
【００１５】
つぎに、本発明を実施するための最良の形態について説明する。ただし、本発明は、この実施の形態に限定されるわけではない。
【００１６】
図１（ａ）は、本発明を化粧料容器に適用した一実施の形態を示す外観斜視図であり、図１（ｂ）は、そのＡ−Ａ′断面図である。
【００１７】
これらの図において、１は略板状の容器本体で、奥側に、化粧料を収容するための円筒壁２が上面から上向きに形成されている。また、手前側に、化粧料を肌に塗布するためのパフを収容するための凹部３が形成されている。
【００１８】
また、４は、上記容器本体１の上面を蓋する蓋体で、その天井面２１（図３参照）の奥側に、上記容器本体１の円筒壁２と係合しうる円筒状の係合壁５が下向きに形成されており、この係合壁５と、上記容器本体１の円筒壁２との係合によって、円筒壁２の内側を密封した状態で蓋するようになっている。なお、６は、蓋体２の天井面２１の手前側に取り付けられる鏡である。
【００１９】
より詳しく説明すると、上記容器本体１は、その平面図である図２（ａ）に示すように、平面視が、縦長の略長方形状で、奥側の円筒壁２の外周面に、蓋体４の係合壁５と係合するための突条Ａが、周方向に９０°間隔で断続的に設けられている。また、上記円筒壁２の近傍の２個所に、円筒壁２と係合する係合壁５を回動する際の回り止めとなるストッパ７ａ、７ｂが立設されている。
【００２０】
なお、上記容器本体１の上面を蓋する蓋体４には、後述するように、これを９０°水平方向に回動して上記円筒壁２と係合壁５との係合を解除すると同時に、両者の係合をヒンジ連結に切り替えるために、ヒンジ連結時の片方の回転軸となる小突起１１（以下、図３および図４を参照）を有する第１の突出片１２と、同じくヒンジ連結時の他方の回転軸となる回動筒１３を有する第２の突出片１４とが、それぞれ蓋体４の下端面４ａからさらに下向きに突出形成されている。
【００２１】
このため、蓋体４を閉じた状態において上記第１の突出片１２を収納するための切欠き部１５が、上記容器本体１の、パフを収容するための凹部３の右上の角部近傍に設けられている。なお、上記切欠き部１５の片側には、蓋体４の回動動作時に、上記突出片１２が容器本体１と当たることなくスムーズに引き出されるよう、円弧状のテーパが設けられている。
【００２２】
そして、図２（ａ）の右側面図である図２（ｃ）に示すように、上記容器本体１の右側面の奥端部に、蓋体４の回動動作によって引き出された第１の突出片１２の小突起１１と係合してヒンジ連結の一部を構成するための小凹部１６が形成されている。
【００２３】
また、上記容器本体１の奥端面の向かって右側には、図２（ａ）のＢ矢視図である図２（ｂ）に示すように、上記蓋体４の第２の突出片１４から延びる回動筒１３を収納するための溝部１７が、水平方向に設けられている。この溝部１７にも、蓋体４の回動動作時に、上記回動筒１３が容器本体１と当たることなくスムーズに引き出されるよう、円弧状のテーパが設けられている。
【００２４】
そして、同じく上記容器本体１の奥端面の向かって左側にも、同様に水平方向に延びる溝部１８が設けられており、この溝部１８内に、蓋体４の回動動作によって引き出された回動筒１３と嵌合してヒンジ連結の一部を構成するための固定ピン１９が、向かって左向き水平に、片持ちの状態で形成されている。この溝部１８にも、蓋体４の回動動作時に、上記回動筒１３が容器本体１と当たることなくスムーズに溝部１８内に入り込むよう、円弧状のテーパが設けられている。また、溝部１８の開口下面側には、盛り上がり部２０が形成されており、溝部１８内に入ってくる回動筒１３を、この盛り上がり部２０を乗り越えさせることにより、抜け止めがなされるようになっている。
【００２５】
つぎに、蓋体４について詳細に説明する。蓋体４は、その右側面図である図３（ａ）と、蓋体４を裏返して内側を見せた図３（ｂ）に示すように、天井面２１と周壁２２とを備えており、上記天井面２１の奥側に、円筒状の係合壁５が下向きに形成されており、上記係合壁５の内周面に、上記容器本体１側の円筒壁２の突条Ａと係合させるための突条Ｂが、周方向に９０°間隔で断続的に設けられている。なお、３０は、蓋体４を水平方向に回動させる際、これを９０°より大きく回しすぎないようにするためのガイドで、この部分が、容器本体１側のストッパ７ａ、７ｂに当たることによって、回り止めがなされるようになっている。
【００２６】
また、上記蓋体４には、すでに述べたように、これを９０°水平方向に回動させて上記係合壁５の突条Ａと円筒壁２の突条Ｂとの係合を解除すると同時に、容器本体１との係合をヒンジ連結に切り替えるために、ヒンジ連結時の片方の回転軸となる小突起１１を有する第１の突出片１２と、同じくヒンジ連結時の他方の回転軸となる回動筒１３を有する第２の突出片１４とが、周壁２２の下端面４ａの所定位置に、下向きに突出形成されている。
【００２７】
上記構成によれば、この化粧料容器は、常態では、図１（ａ）および図１（ｂ）に示すように、蓋体４が容器本体１の上面を全面的に覆い、蓋体４の係合壁５と容器本体１の円筒壁２とが、互いの突条Ａ、Ｂの係合によって気密状態で係合するようになっている。そして、その平面図である図４（ａ）およびそのＤ−Ｄ′断面図である図４（ｂ）に示すように、蓋体４側に設けられた第１の突出片１２が、容器本体１の切欠き部１５内に入り込むとともに、同じく蓋体４側に設けられた第２の突出片１４が、容器本体１の奥端面に重なり、その先から水平に延びる回動筒１３が、容器本体１側の溝部１７内に入り込むようになっている。
【００２８】
そして、上記蓋体４を、図１（ａ）において矢印で示すように、９０°水平方向に回動させると、図５（ａ）に示すように、容器本体１に対し、蓋体４が横向きの配置となり、容器本体１のパフ収容用の凹部３が露出する。
【００２９】
このとき、上記蓋体４と容器本体１の内部において、上記蓋体４の回動により、上記突条Ａ、Ｂによる係合壁５と円筒壁２の係合が解除されるとともに、上記図５（ａ）のＥ矢視図である図５（ｂ）に示すように、蓋体４の第１の突出片１２の位置が、容器本体１の右側面奥端〔ただし、図５（ｂ）では容器本体１の左側に見える、図６（ｂ）参照〕に当接する位置に変わり、上記第１の突出片１２に設けられた小突起１１が、容器本体１側の小凹部１６と係合する。
【００３０】
また、蓋体４の第２の突出片１４の位置が、容器本体１の左側面奥端〔ただし、図５（ｂ）では容器本体１の右側に見える、図６（ｂ）参照〕に当接する位置に変わり、上記第２の突出片１４に設けられた回動筒１３が、容器本体１側の溝部１８内に入り込んで、その内部に突設された固定ピン１９と嵌合する。なお、前述したように、溝部１８の開口縁部には、図６（ａ）に示すように、盛り上がり部２０が形成されているため、これを乗り越えて回動筒１３が溝部１８内に入り込むことによって、上記回動筒１３と固定ピン１９とが正確に位置合わせされ、かつ回動筒１３の抜け止めがなされるようになっている。
【００３１】
この回動筒１３と固定ピン１９との嵌合、および前記小突起１１と小凹部１６との係合によって、容器本体１と蓋体４との間に、ヒンジ連結が形成され、上記蓋体４が容器本体１に対し、回動自在に取り付けられた構造になる。
【００３２】
そこで、通常のコンパクト容器と同様、上記蓋体４を上方に開くことにより、図６（ｂ）に示すように、容器本体１の上面全体を露出することができ、蓋体４の内側に設けられた鏡６を見ながら化粧することができる。
【００３３】
このように、上記化粧料容器によれば、蓋体４を所定角度だけ水平方向に回動させるだけで、簡単に、化粧料収容部となる円筒壁２内を密閉し、あるいはその密封を解除することができるため、その動作を、簡単かつスムーズに行うことができる。しかも、上記密封解除後は、上記回動させた蓋体４と容器本体１との係合を、ヒンジ連結に切り替えて、蓋体４を上方に開くことができるようになっているため、意外性があり興趣に富むだけでなく、容器本体１の上面を、全面的に大きく露出させることができ、中の化粧料等を使用する際の使い勝手がよい。
【００３４】
しかも、この化粧料容器は、蓋体４と容器本体１の間に余分なガイド部材を介することなく、蓋体４と容器本体１とが直接ヒンジ連結を形成するため、部品点数が少なく組立が容易で、製造コストを比較的低く抑えることができる、という利点を有する。
【００３５】
なお、上記の例において、上記蓋体１の円筒壁２に設けられる突条Ａと、上記蓋体４の係合壁５に設けられる突条Ｂとは、互いにら合するねじ部に置き換えても差し支えない。ただし、その場合も、上記ねじ部を周方向に断続的に形成し、蓋体４を周方向に所定角度だけ回動させると、両者の間のねじ結合が解除されるように設定することが必要である。
【００３６】
また、上記の例では、蓋体４を９０°だけ水平方向に回動させることにより、上記蓋体４の係合壁５と容器本体１の円筒壁２との係合を解除するようにしたが、蓋体４の水平方向への回動角度は、９０°に限らず、適宜の角度に設定することができる。ただし、蓋体４の回動動作に伴いヒンジ連結を形成する構成にするには、容器本体１に対する蓋体４の位置を、９０°、すなわち縦方向に重なる位置から横方向に重なる位置に変えることが好適である。
【００３７】
さらに、上記の例では、容器本体１側に設ける第１のヒンジ部材として、小凹部１６と固定ピン１９とを設け、蓋体４側に設ける第２のヒンジ部材として、小突起１１と回動筒１３とを設けたが、容器の輪郭形状等によっては、必ずしも上記のような左右２組の組み合わせにする必要はなく、固定ピン１９と回動筒１３との組み合わせだけであってもよい。また、容器本体１側に回動筒１３が設けられており、蓋体４の水平方向の回動動作によって、蓋体４側に設けられた固定ピンが、上記回動筒１３内に入り込む構造になっていてもよい。もちろん、上記ヒンジ連結の構成は、これらの例に限らず、どのような構成であっても差し支えない。
【００３８】
そして、本発明において、蓋体４を閉じたときの円筒壁２内の気密性をより高めるにはに、例えば蓋体４の係合壁５の内周面根元部に、弾性体からなる環状パッキンを貼り付けておくようにすることが好適である。
【００３９】
また、本発明は、円筒壁２と係合壁５の係合によって、円筒壁２内を密閉することができるため、空気との接触によって劣化しやすい成分や、揮発しやすい成分を含む化粧料を収容する用途に用いることが最適であるが、必ずしも気密性が要求される用途に用いる必要はない。すなわち、蓋体４を開閉する機構が興趣に富むだけでなく、蓋体４を、容器本体１の上面から上方に開いて容器本体１の上面を全面的に大きく露出させることができるため、通常のコンパクト容器に比べて、使い勝手がよいからである。
【００４０】
さらに、本発明は、化粧料を収容するものに限らず、例えば薬剤や食品等を密封した状態で収容する密閉容器にも適用することができる。
【図面の簡単な説明】
【００４１】
【図１】（ａ）は本発明の化粧料容器の一実施の形態を示す斜視図、（ｂ）はそのＡ−Ａ′断面図である。
【図２】（ａ）は上記実施の形態に用いられる容器本体の平面図、（ｂ）はそのＢ矢視図、（ｃ）はその右側面図である。
【図３】（ａ）は上記実施の形態に用いられる蓋体の右側面図、（ｂ）は蓋体を裏返して内側を見せた図、（ｃ）はそのＣ−Ｃ′断面図である。
【図４】（ａ）は上記実施の形態において、蓋体を閉じた状態を示す平面図、（ｂ）はそのＤ−Ｄ′断面図である。
【図５】（ａ）は上記実施の形態において、蓋体を９０°水平方向に回動させた状態を示す斜視図、（ｂ）はそのＥ矢視図である。
【図６】（ａ）は図５（ｂ）の要部拡大説明図、（ｂ）は上記実施の形態において、蓋体を上方に開いた状態を示す斜視図である。
【図７】従来例の説明図である。
【符号の説明】
【００４２】
１  容器本体
２  円筒壁
４  蓋体
５  係合壁
１２  第１の突出片
１４  第２の突出片
Ａ、Ｂ  突条
【図１】
2010063533.tif 000003
【図２】
2010063533.tif 000004
【図３】
2010063533.tif 000005
【図４】
2010063533.tif 000006
【図５】
2010063533.tif 000007
【図６】
2010063533.tif 000008
【図７】
2010063533.tif 000009